(57)【要約】【課題】  コントローラから点灯装置に伝達する情報量を簡易な構成で増やすことができる照明制御システム、コントローラ、点灯装置、及び照明器具を提供する。【解決手段】  照明制御システム１では、コントローラ２が、電力系統９から供給される交流電圧Ｖ２の通電期間、及び交流電圧Ｖ２の非通電期間の少なくとも一方を制御することで、時系列に並んだ複数のビットデータを含む伝送信号Ｙ２を生成する。点灯装置４は、コントローラ２から出力された伝送信号Ｙ２を信号線Ｗ２を介して受け取り、交流電圧Ｖ２の位相に同期して伝送信号Ｙ２のレベルを判定することで、伝送信号Ｙ２からビットデータをそれぞれ読み出す。【選択図】図１
2019036447.tif 000002
【特許請求の範囲】
【請求項１】
電力系統から受けた交流電力から外部の光源へ供給する電力を生成する点灯装置と、
前記点灯装置を制御するための伝送信号を信号線を介して前記点灯装置に対して出力するコントローラと、を備え、
前記コントローラは、前記電力系統から供給される交流電圧を前記信号線に通電する期間を制御することで前記伝送信号を生成し、前記交流電圧を前記信号線に通電させている通電期間、及び前記交流電圧を前記信号線に通電させていない非通電期間の少なくとも一方を、前記交流電圧の位相に同期させて制御することで、時系列に並んだビットデータを含む前記伝送信号を生成し、前記点灯装置に対して前記伝送信号を出力し、
前記点灯装置は、前記コントローラから出力された前記伝送信号を受け取り、前記電力系統から供給される交流電圧の位相に同期して前記伝送信号のレベルを判定することで、前記伝送信号から前記ビットデータをそれぞれ読み出す
ことを特徴とする照明制御システム。
【請求項２】
前記コントローラは、前記交流電圧の各周期に前記ビットデータをそれぞれ対応付けて、前記交流電圧の各周期を第１期間と第２期間とに分割し、前記第１期間を前記通電期間にし、当該周期に対応するビットデータに応じて前記第２期間を前記通電期間または非通電期間にすることを特徴とする請求項１記載の照明制御システム。
【請求項３】
前記第１期間は、前記交流電圧の位相０°−１８０°の期間であり、
前記第２期間は、前記交流電圧の位相１８０°−３６０°の期間であり、
前記コントローラは、前記ビットデータが第１値を表す場合、前記第２期間を前記通電期間にし、前記ビットデータが第２値を表す場合、前記第２期間を前記非通電期間にする
ことを特徴とする請求項２記載の照明制御システム。
【請求項４】
前記コントローラは、前記点灯装置の動作を指示する指示信号を外部から入力され、前記指示信号によって指示される動作に対応する前記複数のビットデータを生成することを特徴とする請求項１乃至３のいずれか一項に記載の照明制御システム。
【請求項５】
前記点灯装置は、動作モードを第１モード及び第２モードのいずれかに切り替えることができ、
前記コントローラは、前記第１モードの点灯装置へ、前記第２モードでの動作時に実行する前記光源の点灯制御の目標状態を示す設定信号を前記伝送信号として出力し、
前記第１モードの点灯装置は、前記設定信号に基づいて前記点灯制御の目標状態を記憶し、
前記コントローラは、前記第２モードの点灯装置へ、前記点灯制御を行わせるための前記伝送信号を出力し、
前記第２モードの点灯装置は、前記点灯制御を行わせるための前記伝送信号を前記コントローラから受け取った場合、前記目標状態となるように前記点灯制御を実行する
ことを特徴とする請求項１乃至３のいずれか一項に記載の照明制御システム。
【請求項６】
前記点灯装置を複数備えており、
前記複数の点灯装置は、前記複数の点灯装置を識別するための識別情報をそれぞれ付与されており、
前記コントローラは、前記識別情報を含む前記伝送信号を出力し、
前記複数の点灯装置は、前記伝送信号に含まれる前記識別情報が自己の識別情報と一致すれば、当該伝送信号から読み出した前記複数のビットデータに基づいてそれぞれ動作する
ことを特徴とする請求項１乃至３のいずれか一項に記載の照明制御システム。
【請求項７】
電力系統から受けた交流電力から外部の光源へ供給する電力を生成する点灯装置と、
前記点灯装置を制御するための伝送信号を信号線を介して前記点灯装置に対して出力するコントローラと、を備え、
前記コントローラは、電力系統から供給される交流電圧を前記信号線に通電する期間を制御することで前記伝送信号を生成し、前記交流電圧を前記信号線に通電させている通電期間、及び前記交流電圧を前記信号線に通電させていない非通電期間の少なくとも一方を、前記交流電圧の位相に同期させて制御することで、時系列に並んだビットデータを含む前記伝送信号を生成し、前記点灯装置に対して前記伝送信号を出力し、
前記点灯装置は、
前記電力系統から前記交流電力を入力されて前記光源へ電力を供給する点灯回路と、
前記コントローラから出力された前記伝送信号を受け取り、前記電力系統から供給される交流電圧の位相に同期して前記伝送信号のレベルを判定することで、前記伝送信号から前記ビットデータをそれぞれ読み出して、前記点灯回路を制御する点灯制御回路と、
前記点灯回路へ前記交流電力を供給し、前記点灯制御回路へ前記交流電圧を出力する分岐部と、を有する
ことを特徴とする照明制御システム。
【請求項８】
前記点灯装置は、前記電力系統から前記交流電力を入力され、前記コントローラから前記伝送信号を入力される接続部を備え、
前記接続部は、第１端子、第２端子、第３端子を有し、前記第１端子及び前記第２端子に前記交流電力が入力され、前記第２端子及び前記第３端子に前記伝送信号が入力されて、前記第１端子及び前記第２端子から前記分岐部へ前記交流電力を供給し、前記第２端子及び前記第３端子から前記点灯制御回路へ前記伝送信号を出力する
ことを特徴とする請求項７記載の照明制御システム。
【請求項９】
電力系統から供給される交流電圧を信号線に通電させている通電状態と、前記交流電圧を前記信号線に通電させていない非通電状態とを切り替えることで、点灯装置を制御するための伝送信号を前記信号線を介して出力する信号出力回路と、
前記信号出力回路を制御する信号制御回路と、を備え、
前記信号制御回路は、前記通電状態である通電期間、及び前記非通電状態である非通電期間の少なくとも一方を、前記交流電圧の位相に同期して制御することで、時系列に並んだビットデータを含む前記伝送信号を生成する
ことを特徴とするコントローラ。
【請求項１０】
前記信号制御回路は、前記交流電圧の各周期に前記複数のビットデータをそれぞれ対応付けて前記伝送信号を生成し、前記交流電圧の各周期を第１期間と第２期間とに分割し、前記第１期間を前記通電期間にし、当該周期に対応するビットデータに応じて前記第２期間を前記通電期間または非通電期間にすることを特徴とする請求項９記載のコントローラ。
【請求項１１】
前記第１期間は、前記交流電圧の位相０°−１８０°の期間であり、
前記第２期間は、前記交流電圧の位相１８０°−３６０°の期間であり、
前記信号制御回路は、前記ビットデータが第１値を表す場合、前記第２期間を前記通電期間にし、前記ビットデータが第２値を表す場合、前記第２期間を前記非通電期間にする
ことを特徴とする請求項１０記載のコントローラ。
【請求項１２】
前記点灯装置に入力される同期信号として前記交流電圧を出力する同期信号出力部を備えることを特徴とする請求項９乃至１１のいずれか一項に記載のコントローラ。
【請求項１３】
電力系統からの交流電力を入力されて光源へ電力を供給する点灯回路と、
前記点灯回路を制御する点灯制御回路と、を備え、
前記点灯制御回路は、
前記電力系統から供給される交流電圧の通電状態が切り替えられて時系列に並んだビットデータを含む伝送信号を信号線を介して受け取り、
前記交流電圧の位相に同期して前記伝送信号のレベルを判定することで、前記伝送信号から前記ビットデータをそれぞれ読み出す
ことを特徴とする点灯装置。
【請求項１４】
前記点灯制御回路は、前記交流電圧のゼロクロスタイミングから、前記交流電圧の瞬時値が前記交流電圧のピーク値に達するまでの時間が経過する前に、前記伝送信号のレベルを判定することを特徴とする請求項１３記載の点灯装置。
【請求項１５】
請求項１３または１４記載の点灯装置と、
前記点灯装置から電力を供給される光源と、を備える
ことを特徴とする照明器具。
【発明の詳細な説明】
【技術分野】
【０００１】
本発明は、照明制御システム、コントローラ、点灯装置、及び照明器具に関する。
【背景技術】
【０００２】
従来、コントローラが照明器具を制御する照明制御システムがある。
【０００３】
例えば、特許文献１では、トンネル内に設置された複数の照明器具を制御するトンネル照明システムが開示されている。特許文献１では、複数の照明器具は、コントローラから調光指令を受信し、この調光指令によって調光点灯を行う。さらに、特許文献１では、複数の照明器具に電力を供給するために複数の電源線を備えている。そして、コントローラは、複数の電源線の各給電状況によって、調光指令の有効・無効を各照明器具に伝達する。
【０００４】
すなわち、特許文献１のトンネル照明システムでは、調光指令、及び複数の電源線の給電状況の組み合わせ（複数の入力のオンオフの組み合わせ）によって、段階的に調光レベルを切り替える段調光を行うことができる。
【先行技術文献】
【特許文献】
【０００５】
【特許文献１】特開２０１４−１３７８６７号公報
【発明の概要】
【発明が解決しようとする課題】
【０００６】
上述の特許文献１では、調光指令のオンオフ、及び複数の電源線の給電オンオフの組み合わせによって、コントローラが照明器具の点灯装置を制御している。すなわち、コントローラから点灯装置に入力される複数のオンオフ信号の組み合わせによって、点灯装置が制御されている。したがって、段調光で制御可能な調光レベルの数を増やすためには、コントローラから点灯装置に出力するオンオフ信号の数を増やす必要がある。言い換えると、コントローラから点灯装置に伝達する情報量を増やすためには、コントローラから点灯装置に出力する信号の数を増やす必要がある。
【０００７】
しかしながら、コントローラから点灯装置に出力する信号の数を増やすと、システムの構成が複雑になってしまう。
【０００８】
本発明の目的とするところは、コントローラから点灯装置に伝達する情報量を簡易な構成で増やすことができる照明制御システム、コントローラ、点灯装置、及び照明器具を提供することにある。
【課題を解決するための手段】
【０００９】
本発明の一態様に係る照明制御システムは、電力系統から受けた交流電力から外部の光源へ供給する電力を生成する点灯装置と、前記点灯装置を制御するための伝送信号を信号線を介して前記点灯装置に対して出力するコントローラと、を備える。前記コントローラは、前記電力系統から供給される交流電圧を前記信号線に通電する期間を制御することで前記伝送信号を生成する。そして、前記コントローラは、前記交流電圧を前記信号線に通電させている通電期間、及び前記交流電圧を前記信号線に通電させていない非通電期間の少なくとも一方を、前記交流電圧の位相に同期させて制御することで、時系列に並んだビットデータを含む前記伝送信号を生成し、前記点灯装置に対して前記伝送信号を出力する。前記点灯装置は、前記コントローラから出力された前記伝送信号を受け取り、前記電力系統から供給される交流電圧の位相に同期して前記伝送信号のレベルを判定することで、前記伝送信号から前記ビットデータをそれぞれ読み出す。
【００１０】
本発明の一態様に係る照明制御システムは、電力系統から受けた交流電力から外部の光源へ供給する電力を生成する点灯装置と、前記点灯装置を制御するための伝送信号を信号線を介して前記点灯装置に対して出力するコントローラと、を備える。前記コントローラは、前記電力系統から供給される交流電圧を前記信号線に通電する期間を制御することで前記伝送信号を生成する。そして、前記コントローラは、前記交流電圧を前記信号線に通電させている通電期間、及び前記交流電圧を前記信号線に通電させていない非通電期間の少なくとも一方を、前記交流電圧の位相に同期させて制御することで、時系列に並んだビットデータを含む前記伝送信号を生成し、前記点灯装置に対して前記伝送信号を出力する。前記点灯装置は、点灯回路と、点灯制御回路と、分岐部と、を有する。前記点灯回路は、前記電力系統から前記交流電力を入力されて前記光源へ電力を供給する。前記点灯制御回路は、前記コントローラから出力された前記伝送信号を受け取り、前記電力系統から供給される交流電圧の位相に同期して前記伝送信号のレベルを判定することで、前記伝送信号から前記ビットデータをそれぞれ読み出して、前記点灯回路を制御する。前記分岐部は、前記点灯回路へ前記交流電力を供給し、前記点灯制御回路へ前記交流電圧を出力する。
【００１１】
本発明の一態様に係るコントローラは、信号出力回路と、信号制御回路と、を備える。前記信号出力回路は、電力系統から供給される交流電圧を信号線に通電させている通電状態と、前記交流電圧を前記信号線に通電させていない非通電状態とを切り替えることで、点灯装置を制御するための伝送信号を前記信号線を介して出力する。前記信号制御回路は、前記信号出力回路を制御する。そして、前記信号制御回路は、前記通電状態である通電期間、及び前記非通電状態である非通電期間の少なくとも一方を、前記交流電圧の位相に同期して制御することで、時系列に並んだビットデータを含む前記伝送信号を生成する。
【００１２】
本発明の一態様に係る点灯装置は、電力系統からの交流電力を入力されて光源へ電力を供給する点灯回路と、前記点灯回路を制御する点灯制御回路と、を備える。前記点灯制御回路は、前記電力系統から供給される交流電圧の通電状態が切り替えられて時系列に並んだビットデータを含む伝送信号を信号線を介して受け取り、前記交流電圧の位相に同期して前記伝送信号のレベルを判定することで、前記伝送信号から前記ビットデータをそれぞれ読み出す。
【００１３】
本発明の一態様に係る照明器具は、上述の点灯装置と、前記点灯装置から電力を供給される光源と、を備える。
【発明の効果】
【００１４】
以上説明したように、本発明では、コントローラから点灯装置に伝達する情報量を簡易な構成で増やすことができるという効果がある。
【図面の簡単な説明】
【００１５】
【図１】図１は、本発明の実施形態に係る照明制御システムを示すブロック図である。
【図２】図２は、同上の照明制御システムが備えるコントローラを示すブロック図である。
【図３】図３は、同上のコントローラが備える信号出力回路を示す回路図である。
【図４】図４は、同上の照明制御システムが備える照明器具を示すブロック図である。
【図５】図５Ａは、同上の点灯装置が備えるＡＣＡＣ変換部の第１構成例を示す回路図である。図５Ｂは、同上の点灯装置が備えるＡＣＡＣ変換部の第２構成例を示す回路図である。図５Ｃは、同上の点灯装置が備えるＡＣＡＣ変換部の第３構成例を示す回路図である。
【図６】図６は、同上の照明制御システムの各部の波形を示す波形図である。
【図７】図７は、同上の実施形態の第１変形例の各部の波形を示す波形図である。
【図８】図８は、同上の実施形態の第２変形例の照明器具を示すブロック図である。
【図９】図９は、同上の第２変形例のＡＣＡＣ変換部の回路図である。
【図１０】図１０は、同上の実施形態の第３変形例の照明器具を示すブロック図である。
【図１１】図１１は、同上の実施形態の第４変形例の照明器具を示すブロック図である。
【図１２】図１２Ａ−図１２Ｅは、同上の実施形態の第５変形例において、第２モード時の伝送信号の各波形を示す波形図である。
【図１３】図１３Ａ−図１３Ｄは、同上の第５変形例において、第２モード時の別の伝送信号の各波形を示す波形図である。
【図１４】図１４は、同上の実施形態の第６変形例の照明器具を示すブロック図である。
【図１５】図１５は、同上の第６変形例の信号変換部を示す回路図である。
【発明を実施するための形態】
【００１６】
以下の実施形態は、一般に、照明制御システム、コントローラ、点灯装置、及び照明器具に関する。より詳細には、以下の実施形態は、コントローラが照明器具を制御する照明制御システム、及び照明制御システムが備えるコントローラ、点灯装置、及び照明器具に関する。
【００１７】
以下、本発明の照明制御システム、コントローラ、点灯装置、及び照明器具の一実施形態について、図面を参照して詳細に説明する。なお、以下に説明する照明制御システムは、トンネル照明、道路照明、スタジアム照明などの屋外照明、体育館、映画館などの大型施設の屋内照明のいずれかに用いられることを想定している。しかしながら、以下の実施形態で説明する構成は本発明の一例にすぎない。本発明は、以下の実施形態に限定されず、本発明の効果を奏することができれば、設計等に応じて種々の変更が可能である。
【００１８】
図１は、本実施形態の照明制御システム１の構成を示す。
【００１９】
照明制御システム１は、コントローラ２と、複数台の照明器具３とを主構成として備える。コントローラ２と複数台の照明器具３とは、制御線Ｗ１、信号線Ｗ２にそれぞれ電気的に接続している。コントローラ２は、制御線Ｗ１を介して照明器具３へ同期信号Ｙ１を出力する。さらに、コントローラ２は、信号線Ｗ２を介して照明器具３へ伝送信号Ｙ２を出力する。さらに、照明器具３は、電力線Ｗ３に電気的に接続しており、電力線Ｗ３を介して交流電力を供給される。
【００２０】
コントローラ２は、電力系統９から交流電力を供給されて動作する。具体的に、電力系統９は、商用周波数（５０Ｈｚまたは６０Ｈｚ）の交流電力を伝送している商用の電力系統であり、この電力系統９がトランス９２を介してコントローラ２に電気的に接続している。トランス９２は、電力系統９の６６００Ｖ（実効値）の交流電圧Ｖ０を一次側に入力されると、２００Ｖ（実効値）の交流電圧Ｖ２を二次側に出力する。コントローラ２は、トランス９２によって降圧された電力系統９の交流電力を供給される。なお、トランス９２の二次側の交流電圧Ｖ２は、１００−２４２Ｖ（実効値）の範囲内に設定されることが好ましい。
【００２１】
コントローラ２は交流電圧Ｖ２を入力されており、交流電圧Ｖ２を同期信号Ｙ１として制御線Ｗ１に出力する。すなわち、同期信号Ｙ１の波形は、商用周波数（５０Ｈｚまたは６０Ｈｚ）の交流電圧Ｖ２の波形（正弦波波形）である。
【００２２】
さらに、コントローラ２は、図２に示すように、信号制御回路２１と、信号出力回路２２と、制御電源２３と、ゼロクロス検出回路２７とを備える。さらに、コントローラ２は、入力部２４と、同期信号出力部２５と、伝送信号出力部２６とを備える。
【００２３】
入力部２４には、交流電圧Ｖ２が入力される。制御電源２３は、交流電圧を直流電圧に変換する電源回路であり、入力部２４から交流電圧Ｖ２を入力されて、直流の制御電圧Ｖｃ１を出力する。制御電圧Ｖｃ１は信号制御回路２１に入力されて、信号制御回路２１を動作させるための電源となる。
【００２４】
さらに、コントローラ２内において、入力部２４は同期信号出力部２５に電気的に接続しており、入力部２４に入力された交流電圧Ｖ２は、同期信号出力部２５から同期信号Ｙ１として出力される。
【００２５】
信号制御回路２１は、信号出力回路２２を制御するために、パルス信号Ｙｐを信号出力回路２２へ出力する。本実施形態では、ゼロクロス検出回路２７が、交流電圧Ｖ２のゼロクロスタイミングを検出して、タイミング信号Ｙａを信号制御回路２１へ出力する。例えば、ゼロクロス検出回路２７は、交流電圧Ｖ２が正電圧である期間（位相が０°−１８０°である期間）に、タイミング信号ＹａをＨレベルにする。また、ゼロクロス検出回路２７は、交流電圧Ｖ２が負電圧である期間（位相が１８０°−３６０°である期間）に、タイミング信号ＹａをＬレベルにする。すなわち、タイミング信号Ｙａは、交流電圧Ｖ２の半周期毎にＨレベルとＬレベルとが交互に切り換わる電圧信号になる。
【００２６】
したがって、信号制御回路２１は、タイミング信号ＹａがＬレベルからＨレベルに立ち上がったときに、交流電圧Ｖ２の位相が０°であると判別する。また、信号制御回路２１は、タイミング信号ＹａがＨレベルからＬレベルに立ち下がったときに、交流電圧Ｖ２の位相が１８０°であると判別する。このように、信号制御回路２１は、交流電圧Ｖ２の位相を判別できるので、交流電圧Ｖ２の位相に同期したパルス信号Ｙｐを信号出力回路２２へ出力することができる。
【００２７】
また、信号制御回路２１は、コンピュータを有しており、コンピュータがプログラムを実行することで、信号出力回路２２を制御する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイコン（Microcomputer）のいずれであってもよい。記憶用のデバイスには、半導体メモリのようにアクセス時間が短い記憶装置が主に用いられる。
【００２８】
プログラムの提供形態としては、コンピュータに読み取り可能な半導体メモリ、光ディスク等の記録媒体に予め格納されている形態、インターネット等を含む広域通信網を介して記録媒体に供給される形態等がある。
【００２９】
なお、信号制御回路２１は、複数のディスクリート部品を組み合わせて構成されてもよい。
【００３０】
また、信号制御回路２１は、パルス信号Ｙｐを交流電圧Ｖ２の位相に同期させることは必須ではなく、交流電圧Ｖ２の位相に非同期のパルス信号Ｙｐを信号出力回路２２へ出力してもよい。
【００３１】
信号出力回路２２は、図３に示すように、交流用スイッチング素子２２１を備える。交流用スイッチング素子２２１は、半導体のスイッチング素子（トライアックなど）、またはＳＳＲ（Solid State Relay）を内蔵する無接点リレーであり、信号制御回路２１が出力するパルス信号Ｙｐによって内蔵のスイッチング素子をオンオフする。なお、交流用スイッチング素子２２１がオンした場合に、交流用スイッチング素子２２１は双方向に導通する。また、交流用スイッチング素子２２１がオフした場合に、交流用スイッチング素子２２１が遮断状態になる。
【００３２】
本実施形態では、パルス信号ＹｐがＨレベルである場合に交流用スイッチング素子２２１がオンする。また、パルス信号ＹｐがＬレベルである場合に交流用スイッチング素子２２１がオフする。信号出力回路２２の出力には伝送信号出力部２６が電気的に接続しており、伝送信号出力部２６には信号線Ｗ２が接続している。そして、交流用スイッチング素子２２１がオンしているときに、制御線Ｗ１には交流電圧Ｖ２が印加され、交流用スイッチング素子２２１がオフしているときに、制御線Ｗ１には交流電圧Ｖ２が印加されない。すなわち、交流用スイッチング素子２２１がオンしている場合、交流電圧Ｖ２が制御線Ｗ１に通電している通電状態になり、交流用スイッチング素子２２１がオフしている場合、交流電圧Ｖ２が制御線Ｗ１に通電していない非通電状態になる。つまり、信号出力回路２２は、パルス信号Ｙｐにしたがって交流用スイッチング素子２２１がオンオフし、交流電圧Ｖ２の通電状態と非通電状態とを切り替えることで、位相制御された伝送信号Ｙ２を信号線Ｗ２を介して出力する。
【００３３】
すなわち、伝送信号Ｙ２は、交流電圧Ｖ２が通電状態である通電期間と、交流電圧Ｖ２が非通電状態である非通電期間との少なくとも一方が制御された信号である。例えば、伝送信号Ｙ２は、通電期間と非通電期間との両方が制御された信号である。あるいは、通電期間と非通電期間との合計が一定の時間長さに決まっている場合、伝送信号Ｙ２は、通電期間と非通電期間との少なくとも一方が制御されることで、結果的に通電期間と非通電期間との両方が調整される。
【００３４】
次に、照明器具３は、点灯装置４と、光源であるＬＥＤ（Light Emitting Diode）モジュール５と、アドレススイッチ６とを備えており、電力系統９から交流電力を供給されて動作する。具体的には、商用の電力系統９がトランス９１及び電力線Ｗ３を介して照明器具３に電気的に接続している。電力系統９の交流電圧Ｖ０は例えば６６００Ｖであり、トランス９１は、６６００Ｖの交流電圧Ｖ０を一次側に入力されると、２４０Ｖ（実効値）の交流電圧Ｖ１を二次側に出力する。電力線Ｗ３は一対の電線を有しており、この一対の電線間に交流電圧Ｖ１が印加される。そして、照明器具３は、トランス９１によって降圧された電力系統９の交流電力を電力線Ｗ３を介して供給される。なお、トランス９１の二次側の交流電圧Ｖ１は、１００−２４２Ｖ（実効値）の範囲内に設定されることが好ましい。
【００３５】
本実施形態のＬＥＤモジュール５は、例えば赤（Ｒ）、緑（Ｇ）、青（Ｂ）、白（Ｗ）の各色を発するＬＥＤ素子を備えており、調光及び調色が可能な光源である。あるいは、ＬＥＤモジュール５は、電球色、昼白色、昼光色などのうちいずれかを発するＬＥＤ素子を備えていてもよい。
【００３６】
また、照明器具３は、点灯装置４とＬＥＤモジュール５とを一体に組み付けた構成、点灯装置４に対してＬＥＤモジュール５を着脱自在に取り付けることができる構成、点灯装置４とＬＥＤモジュール５とを別体に配置した構成のいずれでもよい。
【００３７】
点灯装置４は、図４に示すように、ＡＣＡＣ変換部４１，４２と、ＡＤ変換部４３，４４と、制御電源４５と、信号処理回路４６と、点灯回路４７と、接続部４８とを備える。そして、ＡＣＡＣ変換部４１，４２と、ＡＤ変換部４３，４４と、信号処理回路４６とは、点灯制御回路４０を構成する。
【００３８】
接続部４８は、電線が接続される６個の端子４８１−４８６を備える。端子４８１，４８２は、電力線Ｗ３を構成する一対の電線がそれぞれ接続される。端子４８３，４８４は、制御線Ｗ１を構成する一対の電線がそれぞれ接続される。端子４８５，４８６は、信号線Ｗ２を構成する一対の電線がそれぞれ接続される。
【００３９】
ＡＣＡＣ変換部４１は、端子４８３，４８４に電気的に接続しており、制御線Ｗ１を介して同期信号Ｙ１（アナログ信号）を入力され、同期信号Ｙ１を降圧した同期信号Ｙ１１（アナログ信号）をＡＤ変換部４３へ出力する。ＡＣＡＣ変換部４２は、端子４８５，４８６に電気的に接続しており、信号線Ｗ２を介して伝送信号Ｙ２（アナログ信号）を入力され、伝送信号Ｙ２を降圧した伝送信号Ｙ２１（アナログ信号）をＡＤ変換部４４へ出力する。同期信号Ｙ１１及び伝送信号Ｙ２１は、５Ｖ（実効値）程度の交流電圧信号である。
【００４０】
ＡＣＡＣ変換部４１，４２は、同一の回路構成を備えている。そこで、ＡＣＡＣ変換部４１，４２を区別しない場合、ＡＣＡＣ変換部４００と呼ぶ。ＡＣＡＣ変換部４００は、１００−２４２Ｖの交流電圧信号を、５Ｖ程度の交流電圧信号に降圧する。この場合、同期信号Ｙ１及び伝送信号Ｙ２が強電信号に相当し、同期信号Ｙ１１及び伝送信号Ｙ２１が弱電信号に相当する。
【００４１】
なお、本実施形態において、弱電信号は、２５Ｖ以下の電圧信号を指し、強電信号は、１００−４４０Ｖ程度の電圧信号を指す。
【００４２】
図５Ａ−５Ｃは、ＡＣＡＣ変換部４００の構成例をそれぞれ示している。
【００４３】
図５Ａは、ＡＣＡＣ変換部４００の第１構成例を示す。第１構成例のＡＣＡＣ変換部４００は、パルストランス４０１、抵抗４０２、ダイオードブリッジ４０３を備える。パルストランス４０１は、強電信号を一次側に入力され、弱電信号を二次側から出力する。抵抗４０２は限流抵抗であり、パルストランス４０１の一次巻線に直列接続されている。パルストランス４０１の二次巻線はダイオードブリッジ４０３に電気的に接続しており、ダイオードブリッジ４０３は弱電信号を全波整流する。この場合、パルストランス４０１は、同期信号Ｙ１及び伝送信号Ｙ２を降圧し、ダイオードブリッジ４０３は、パルストランス４０１の二次側出力を全波整流することで同期信号Ｙ１１及び伝送信号Ｙ２１を出力する。
【００４４】
図５Ｂは、ＡＣＡＣ変換部４００の第２構成例を示す。第２構成例のＡＣＡＣ変換部４００は、パルストランス４０１、抵抗４０２、ダイオード４０４を備える。ダイオード４０４は、パルストランス４０１の二次巻線の一端に直列接続しており、ダイオード４０４は弱電信号を半波整流する。この場合、パルストランス４０１は、同期信号Ｙ１及び伝送信号Ｙ２を降圧し、ダイオード４０４は、パルストランス４０１の二次側出力を半波整流することで同期信号Ｙ１１及び伝送信号Ｙ２１を出力する。
【００４５】
図５Ｃは、ＡＣＡＣ変換部４００の第３構成例を示す。第３構成例のＡＣＡＣ変換部４００は、パルストランス４０１、抵抗４０２、コンデンサ４０５、抵抗４０６，４０７を備える。抵抗４０６，４０７は直列に接続しており、抵抗４０６，４０７の直列回路の両端間には、直流の定電圧Ｖ４０が印加されている。定電圧Ｖ４０は、高圧側の抵抗４０６，低圧側の抵抗４０７で分圧されており、抵抗４０７の両端に生じる電圧をオフセット電圧と呼ぶ。そして、コンデンサ４０５の一端は、パルストランス４０１の二次巻線に直列接続しており、コンデンサ４０５の他端は、抵抗４０６，４０７の接続点に電気的に接続している。この場合、同期信号Ｙ１及び伝送信号Ｙ２はパルストランス４０１で降圧され、降圧された交流電圧がコンデンサ４０５を通過する。この結果、同期信号Ｙ１１及び伝送信号Ｙ２１は、パルストランス４０１によってそれぞれ降圧された交流電圧を、オフセット電圧だけ正側にオフセットさせた波形になる。オフセット電圧は、同期信号Ｙ１１及び伝送信号Ｙ２１の瞬時値が常に０Ｖ以上になるように予め設定されている。この結果、ＡＣＡＣ変換部４００の後段が、プロセッサを備えるデバイスであったとしても、このデバイスは、同期信号Ｙ１１及び伝送信号Ｙ２１を整流することなしに、同期信号Ｙ１１及び伝送信号Ｙ２１の波形の全領域を読み取ることができる。
【００４６】
ＡＤ変換部４３は、アナログの同期信号Ｙ１１をデジタルの同期信号Ｙ１２に変換する。ＡＤ変換部４４は、アナログの伝送信号Ｙ２１をデジタルの伝送信号Ｙ２２に変換する。すなわち、ＡＤ変換部４３，４４は、アナログ信号の電圧を標本化、量子化、符号化して、デジタル信号に変換する。
【００４７】
制御電源４５は、端子４８１，４８２に電気的に接続して、交流電圧を直流電圧に変換する電源回路であり、交流電圧Ｖ１を入力されて、直流の制御電圧Ｖｃ２を出力する。制御電圧Ｖｃ２は、ＡＤ変換部４３，４４、及び信号処理回路４６を動作させるための電源となる。
【００４８】
点灯回路４７は、端子４８１，４８２に電気的に接続しており、電力系統９から電力線Ｗ３を介して供給される交流電力を直流電力に変換し、変換した直流電力をＬＥＤモジュール５に供給することでＬＥＤモジュール５を点灯させる。また、点灯回路４７は、信号処理回路４６から与えられる制御信号に応じて直流電力を増減することにより、ＬＥＤモジュール５を調光点灯させるように構成されている。また、点灯回路４７は、信号処理回路４６から与えられる制御信号に応じて光色の異なる複数のＬＥＤ素子のそれぞれへ供給する各直流電力を増減することにより、ＬＥＤモジュール５を調色点灯させるように構成されている。なお、点灯回路４７は、出力が可変であるコンバータ回路（例えば、降圧チョッパ回路、昇降圧チョッパ回路など）で実現されることが好ましい。
【００４９】
例えば、点灯回路４７は、ＬＥＤモジュール５に印加する直流電圧のオンデューティを、周波数５００ＨｚでＰＷＭ制御する。オンデューティが１００％である場合、調光レベルが１００％に制御される。オンデューティが５０％である場合、調光レベルが５０％に制御される。オンデューティが０％である場合、調光レベルが０％に制御される。
【００５０】
また、点灯回路４７は、ＬＥＤモジュール５に供給する電流の大きさを調整するＤＣ調光制御を行ってもよい。
【００５１】
信号処理回路４６は、同期信号Ｙ１２及び伝送信号Ｙ２２を入力され、同期信号Ｙ１２に同期して伝送信号Ｙ２２からビットデータを読み出す。そして、信号処理回路４６は、読み出したビットデータに基づいて、点灯回路４７の動作を制御する制御信号を出力することで、点灯制御処理（ＬＥＤモジュール５の点灯、消灯、点滅、調光、調色など）を行う。信号処理回路４６が出力する制御信号はＰＷＭ信号であり、制御内容に応じてＰＷＭ信号のデューティ比を設定する。例えば、制御信号は５Ｖの電圧信号であり、オンデューティが９０％である場合、調光レベル１００％に対応し、オンデューティが１０％である場合、調光レベル０％に対応する。
【００５２】
信号処理回路４６は、コンピュータを有しており、コンピュータがプログラムを実行することで、設定処理、点灯制御処理を行う。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵまたはＭＰＵのほか、記憶用のデバイスを一体に備えるマイコンのいずれであってもよい。記憶用のデバイスには、半導体メモリのようにアクセス時間が短い記憶装置が主に用いられる。
【００５３】
プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００５４】
なお、ＡＤ変換部４３，４４、及び信号処理回路４６が、１つのコンピュータで構成されてもよい。
【００５５】
また、信号処理回路４６は、複数のディスクリート部品を組み合わせて構成されてもよい。
【００５６】
アドレススイッチ６は、複数の照明器具３を互いに識別するためのアドレス情報を設定するＤＩＰスイッチである。照明器具３では、信号処理回路４６が、アドレススイッチ６によって設定されたアドレス情報を読み込んで記憶する。信号処理回路４６は、この記憶したアドレス情報を照明器具３の識別情報とする。なお、アドレススイッチ６は、照明器具３の外部から赤外線信号、電波信号などの無線信号を受信して、無線信号によって指示されるアドレス情報を信号処理回路４６に通知する構成であってもよい。なお、照明器具３のアドレス情報は、点灯装置４のアドレス情報と読み替えてもよい。
【００５７】
以下、照明制御システム１における点灯制御について説明する。
【００５８】
コントローラ２において、信号制御回路２１は、外部から入力される指示信号、照明器具３の照明空間に設置された照度センサのセンサ信号、照明スケジュールなどの１つ以上に基づいて、制御対象となる点灯装置４の制御内容を決定する。信号制御回路２１は、制御対象となる点灯装置４、及び制御内容に対応するパルス信号Ｙｐを生成し、信号出力回路２２は、複数のビットデータを含む伝送信号Ｙ２を出力する。
【００５９】
例えば、外部から入力される指示信号は、制御対象となる点灯装置４のアドレス情報、制御内容（調光レベル、調色レベル、点灯、消灯、点滅など）を指示する。信号制御回路２１は、指示信号を外部から入力されると、この指示信号の指示（制御対象となる点灯装置４の制御内容）に対応する複数のビットデータを生成する。
【００６０】
図６は、照明制御システム１の各部の信号波形を示す。図６は、６個の信号波形を示しており、上から順に同期信号Ｙ１、パルス信号Ｙｐ、伝送信号Ｙ２、同期信号Ｙ１１、伝送信号Ｙ２１の各波形を示している。
【００６１】
同期信号Ｙ１は、２００Ｖ、５０Ｈｚまたは６０Ｈｚの交流電圧Ｖ２である。
【００６２】
伝送信号Ｙ２は、パルス信号ＹｐがＨレベルである場合に通電状態になり、伝送信号Ｙ２の波形は交流電圧Ｖ２の波形（正弦波の波形）になる。また、伝送信号Ｙ２は、パルス信号ＹｐがＬレベルである場合に非通電状態になり、伝送信号Ｙ２の電圧は０（ほぼ０も含む）になる。
【００６３】
信号制御回路２１は、伝送信号Ｙ２が通電状態である期間（通電期間）、及び伝送信号Ｙ２が非通電状態である期間（非通電期間）を制御することで、複数のビットデータを含む伝送信号Ｙ２を、信号出力回路２２から出力させる。
【００６４】
具体的に、信号制御回路２１は、交流電圧Ｖ２の位相０°−３６０°の期間を１周期とし、各周期にビットデータとして「１」または「０」を割り当てる。すなわち、信号制御回路２１は、各周期に１ビットのデータを割り当てている。信号制御回路２１は、伝送信号Ｙ２にビットデータ「１」を割り当てる場合、パルス信号ＹｐをＨレベルにして、交流電圧Ｖ２の１周期を通電期間に設定する。この結果、当該周期における伝送信号Ｙ２の波形は交流電圧Ｖ２の波形（１周期の正弦波）になる。また、信号制御回路２１は、伝送信号Ｙ２にビットデータ「０」を割り当てる場合、パルス信号ＹｐをＬレベルにして、交流電圧Ｖ２の１周期を非通電期間に設定して、伝送信号Ｙ２の電圧を０にする。すなわち、信号制御回路２１は、交流電圧Ｖ２の各周期を導通期間または非導通期間に設定することで、時系列に並んだ「１」または「０」のビットデータを含む伝送信号Ｙ２を生成する。
【００６５】
図６に示す伝送信号Ｙ２は、１つのコマンドＢ０を表しており、最初の４ビットをスタートビット群Ｂ１とし、次の６ビットをコマンドビット群Ｂ２とし、次の３２ビットをパラメータビット群Ｂ３としている。
【００６６】
スタートビット群Ｂ１は、伝送信号Ｙ２によるコマンド送信の開始を通知する。図６のスタートビット群Ｂ１は、全てのビットデータが「１」であり、ビットデータ「１」が４回連続して発生している。
【００６７】
コマンドビット群Ｂ２は、伝送信号Ｙ２のコマンド種類を表しており、調光率を設定するための調光率設定コマンド、調色を設定するための調色設定コマンド、点灯装置４のパラメータ設定を行うためのパラメータ設定コマンドなどがある。図６のコマンドビット群Ｂ２では、全てのコマンド種類において、先頭と最後の各ビットが「０」になる。
【００６８】
パラメータビット群Ｂ３は、コマンドＢ０の送信先となる点灯装置４（照明器具３）のアドレス情報、及び伝送信号Ｙ２で制御する調光レベル、調色レベルなどの制御内容を示す制御情報を含む。
【００６９】
信号制御回路２１は、パラメータビット群Ｂ３の最終ビットを生成してから休止期間Ｔａが経過するまでは、パルス信号ＹｐをＬレベルに保持し、伝送信号Ｙ２を非通電状態に維持して、次のコマンドＢ０を生成しない。すなわち、信号出力回路２２は、パラメータビット群Ｂ３の最終ビットを出力してから休止期間Ｔａが経過するまでは、次のコマンドＢ０を出力しない。休止期間Ｔａは、電力系統９の周波数（交流電圧Ｖ１，Ｖ２の周波数）が５０Ｈｚである場合、８周期（８ビット分）であり、電力系統９の周波数が６０Ｈｚである場合、１８周期（１８ビット分）である。
【００７０】
照明器具３の点灯装置４では、ＡＣＡＣ変換部４１，４２が同期信号Ｙ１及び伝送信号Ｙ２を受け取り、弱電信号の同期信号Ｙ１１及び伝送信号Ｙ２１を生成する。図６では、図５Ｂの回路構成を有するＡＣＡＣ変換部４１，４２が、半波整流された同期信号Ｙ１１及び伝送信号Ｙ２１を生成している。そして、ＡＤ変換部４３は、アナログの同期信号Ｙ１１をデジタルの同期信号Ｙ１２に変換する。ＡＤ変換部４４は、アナログの伝送信号Ｙ２１をデジタルの伝送信号Ｙ２２に変換する。信号処理回路４６は、同期信号Ｙ１２及び伝送信号Ｙ２２を入力され、同期信号Ｙ１２に同期して伝送信号Ｙ２２からビットデータを読み出す。
【００７１】
信号処理回路４６は、同期信号Ｙ１２に基づいて交流電圧Ｖ２の変化を監視し、交流電圧Ｖ２の位相に同期した判定タイミングを設定する同期処理を行う。そして、信号処理回路４６は、交流電圧Ｖ２の位相に同期した判定タイミングに、伝送信号Ｙ２のレベルを判定するレベル判定処理を行う。
【００７２】
具体的に、同期処理を行う信号処理回路４６は、同期信号Ｙ１２（半波整流された交流電圧Ｖ２に対応する）の立ち上がりタイミングを検出することで、隣り合う２つの立ち上がりタイミングの時間差を交流電圧Ｖ２の周期として認識できる。すなわち、信号処理回路４６は、電力系統９の周波数が５０Ｈｚ、６０Ｈｚのいずれであっても、交流電圧Ｖ２の周期を自動で認識できる。
【００７３】
そして、信号処理回路４６は、同期信号Ｙ１２の立ち上がりタイミング（交流電圧Ｖ２の位相０°）から１／４周期（交流電圧Ｖ２の位相９０°）が経過した時点を、判定タイミングに設定する。すなわち、信号処理回路４６は、同期信号Ｙ１のゼロクロスタイミング（交流電圧Ｖ２の位相０°）から、交流電圧Ｖ２のピーク値（交流電圧Ｖ２の位相９０°）に達するまでに要する時間が経過した時点を、判定タイミングに設定している。
【００７４】
なお、判定タイミングは、同期信号Ｙ１のゼロクロスタイミングから１／４周期が経過するまでの期間内に設定されればよい。例えば、判定タイミングは、同期信号Ｙ１のゼロクロスタイミングから、交流電圧Ｖ２が０からピーク値に達するまでに要する時間の１／２が経過したタイミングに設定されてもよい。
【００７５】
レベル判定処理を行う信号処理回路４６は、判定タイミングになると、伝送信号Ｙ２２のデジタル値（伝送信号Ｙ２１の電圧値に相当）を予め決められた閾値と比較することで、伝送信号Ｙ２のレベルを判定する。信号処理回路４６は、伝送信号Ｙ２２のデジタル値が閾値以上であれば、伝送信号Ｙ２のレベルはＨレベルであり、この判定タイミングにおけるビットデータは「１」であると判定する。また、信号処理回路４６は、伝送信号Ｙ２２のデジタル値が閾値未満であれば、伝送信号Ｙ２のレベルはＬレベルであり、この判定タイミングにおけるビットデータは「０」であると判定する。
【００７６】
すなわち、点灯制御回路４０は、交流電圧Ｖ２の位相に同期して伝送信号Ｙ２のレベルを判定することで、伝送信号Ｙ２が通電状態及び非通電状態のいずれであるかを判定し、伝送信号Ｙ２からビットデータを読み出している。
【００７７】
信号処理回路４６は、スタートビット群Ｂ１を読み出すと、コマンドＢ０の送信が開始されたことを認識し、スタートビット群Ｂ１に続くコマンドビット群Ｂ２を読み出して、コマンド種類を判定する。さらに、信号処理回路４６は、コマンドビット群Ｂ２に続くパラメータビット群Ｂ３を読み出す。そして、信号処理回路４６は、パラメータビット群Ｂ３に含まれるアドレス情報が自己のアドレス情報に一致すれば、パラメータビット群Ｂ３に含まれる制御情報に基づいて、点灯回路４７の動作を制御して、ＬＥＤモジュール５の点灯状態を制御する。ＬＥＤモジュール５の点灯状態には、点灯、消灯、点滅、調光、調色などが含まれる。
【００７８】
上述のように、照明制御システム１において、コントローラ２が出力した同期信号Ｙ１及び伝送信号Ｙ２は強電信号であるので、制御線Ｗ１、信号線Ｗ２、電力線Ｗ３は、強電信号用の１つの電線管に収納されて点灯装置４まで敷設されている。すなわち、照明制御システム１は、一般に屋内などで用いられる１２ＶのＰＷＭ信号などの弱電信号を、コントローラ２−点灯装置４間の通信に用いていないので、弱電信号用の電線管を別に敷設する必要がない。したがって、照明制御システム１は、弱電信号用の電線管を別に敷設する必要がないので、強電信号用の電線管と弱電信号用の電線管との両方を敷設する場合に比べて、施工コストを低くできる。
【００７９】
また、同期信号Ｙ１及び伝送信号Ｙ２は強電信号であるので、コントローラ２−点灯装置４間の距離が長く、制御線Ｗ１及び信号線Ｗ２の各配線長が長い場合でも、同期信号Ｙ１及び伝送信号Ｙ２の電圧降下による制御不良を抑制できる。
【００８０】
さらに、照明制御システム１では、コントローラ２−点灯装置４間の通信に強電信号である同期信号Ｙ１及び伝送信号Ｙ２を用いている。したがって、点灯装置４は、同期信号Ｙ１に同期して伝送信号Ｙ２からビットデータを読み出すことができる。この結果、同期信号Ｙ１及び伝送信号Ｙ２という２系統の通信路を備えるだけで、コントローラ２から点灯装置４へ伝達される情報量を従来に比べて増やすことができる。すなわち、照明制御システム１は、コントローラ２から点灯装置４に伝達する情報量を簡易な構成で増やすことができる。また、照明制御システム１は、同期信号Ｙ１を用いることによって、コントローラ２−点灯装置４間の通信の安定性を向上させることができる。
【００８１】
次に、照明制御システム１の第１変形例について、図７を用いて説明する。図７は、照明制御システム１の各部の信号波形を示す。図７は、６個の信号波形を示しており、上から順に同期信号Ｙ１、パルス信号Ｙｐ、伝送信号Ｙ２、同期信号Ｙ１１、伝送信号Ｙ２１の各波形を示している。
【００８２】
第１変形例の信号制御回路２１は、交流電圧Ｖ２の位相０°−３６０°の期間を１周期とし、各周期にビットデータとして「１」または「０」を割り当てる。第１変形例の信号制御回路２１は、交流電圧Ｖ２の各周期を、前半の正の半周期である第１期間Ｔ１と後半の負の半周期である第２期間Ｔ２とに分割する。すなわち、第１期間Ｔ１は、交流電圧Ｖ２の位相０°−１８０°の期間であり、第２期間Ｔ２は、交流電圧Ｖ２の位相１８０°−３６０°の期間である。そして、信号制御回路２１は、第１期間Ｔ１を必ず通電期間に設定し、当該周期に対応するビットデータに応じて第２期間Ｔ２を通電期間または非通電期間にすることで、伝送信号Ｙ２を生成する。
【００８３】
具体的に、信号制御回路２１は、伝送信号Ｙ２にビットデータ「１」を割り当てる場合、第２期間Ｔ２を通電期間に設定する。この結果、第２期間Ｔ２における伝送信号Ｙ２の波形は、交流電圧Ｖ２の波形（半周期の正弦波）になる。また、信号制御回路２１は、伝送信号Ｙ２にビットデータ「０」を割り当てる場合、第２期間Ｔ２を非通電期間に設定して、第２期間Ｔ２における伝送信号Ｙ２の電圧を０にする。すなわち、信号制御回路２１は、交流電圧Ｖ２の各周期の第２期間Ｔ２を導通期間または非導通期間に設定することで、時系列に並んだ「１」または「０」のビットデータを含む伝送信号Ｙ２を生成する。
【００８４】
図７に示す伝送信号Ｙ２は、第１変形例におけるコマンドＢ１０を表しており、最初の８ビットをスタートビット群Ｂ１とし、次の８ビットをコマンドビット群Ｂ２とし、次の３２ビットをパラメータビット群Ｂ３としている。
【００８５】
図７のスタートビット群Ｂ１は、全てのビットデータが「１」であり、ビットデータ「１」が８回連続して発生している。コマンドビット群Ｂ２は、伝送信号Ｙ２のコマンド種類を表す。パラメータビット群Ｂ３は、コマンドＢ０の送信先となる照明器具３（点灯装置４）のアドレス情報、及び伝送信号Ｙ２で制御する調光率、調色などの制御情報を表す。
【００８６】
信号制御回路２１は、パラメータビット群Ｂ３の最終ビットを生成してから休止期間Ｔｂが経過するまでは、伝送信号Ｙ２にビットデータ「０」を割り当てて、次のコマンドＢ１０を生成しない。すなわち、信号出力回路２２は、パラメータビット群Ｂ３の最終ビットを出力してから休止期間Ｔｂが経過するまでは、次のコマンドＢ１０を出力しない。休止期間Ｔｂは、電力系統９の周波数（交流電圧Ｖ１，Ｖ２の周波数）が５０Ｈｚである場合、２周期（２ビット分）であり、電力系統９の周波数が６０Ｈｚである場合、１２周期（１２ビット分）である。
【００８７】
また、図７では、図５Ａの回路構成を有するＡＣＡＣ変換部４１，４２が、全波整流された同期信号Ｙ１１及び伝送信号Ｙ２１を生成している。
【００８８】
同期処理を行う信号処理回路４６は、同期信号Ｙ１２（全波整流された交流電圧Ｖ２に対応する）の立ち上がりタイミングを検出することで、隣り合う２つの立ち上がりタイミングの時間差を交流電圧Ｖ２の半周期として認識できる。
【００８９】
そして、信号処理回路４６は、同期信号Ｙ１２の立ち上がりタイミング（交流電圧Ｖ２の位相０°及び１８０°）から交流電圧Ｖ２の１／４周期（交流電圧Ｖ２の位相９０°及び２７０°）が経過した時点を、判定タイミングに設定する。すなわち、信号処理回路４６は、同期信号Ｙ１のゼロクロスタイミング（交流電圧Ｖ２の位相０°及び１８０°）から、交流電圧Ｖ２のピーク値（交流電圧Ｖ２の位相９０°及び２７０°）に達するまでに要する時間が経過した時点を、判定タイミングに設定している。
【００９０】
なお、判定タイミングは、同期信号Ｙ１のゼロクロスタイミングから１／４周期が経過するまでの期間内に設定されればよい。例えば、判定タイミングは、同期信号Ｙ１のゼロクロスタイミングから、交流電圧Ｖ２が０からピーク値に達するまでに要する時間の１／２が経過したタイミングに設定されてもよい。
【００９１】
レベル判定処理を行う信号処理回路４６は、判定タイミングになると、伝送信号Ｙ２２のデジタル値（伝送信号Ｙ２１の電圧値に相当）を予め決められた閾値と比較することで、伝送信号Ｙ２のレベルを判定する。信号処理回路４６は、伝送信号Ｙ２２のデジタル値が閾値以上であれば、伝送信号Ｙ２のレベルはＨレベルであると判定し、伝送信号Ｙ２２のデジタル値が閾値未満であれば、伝送信号Ｙ２のレベルはＬレベルであると判定する。
【００９２】
ここで、休止期間Ｔｂでは、伝送信号Ｙ２のレベルがＨレベルとＬレベルとを交互に切り換わっており、信号処理回路４６は、伝送信号Ｙ２がＨレベルとなる期間を第１期間Ｔ１とし、伝送信号Ｙ２がＬレベルとなる期間を第２期間Ｔ２とする。すなわち、信号処理回路４６は、休止期間Ｔｂの伝送信号Ｙ２によって、伝送信号Ｙ２の第１期間Ｔ１及び第２期間Ｔ２を区別できる。
【００９３】
信号処理回路４６は、第１期間Ｔ１及び第２期間Ｔ２における各判定結果が「１」「０」であれば、当該周期のビットデータは「０」であると判定する。また、信号処理回路４６は、第１期間Ｔ１及び第２期間Ｔ２における各判定結果が「１」「１」であれば、当該周期のビットデータは「１」であると判定する。
【００９４】
すなわち、点灯制御回路４０は、交流電圧Ｖ２の位相に同期して伝送信号Ｙ２のレベルを判定することで、伝送信号Ｙ２が通電状態及び非通電状態のいずれであるかを判定し、伝送信号Ｙ２からビットデータを読み出している。
【００９５】
上述の第１変形例では、伝送信号Ｙ２の第１期間Ｔ１は必ず通電期間になるので、信号処理回路４６は、伝送信号Ｙ２の第１期間Ｔ１と第２期間Ｔ２とを容易に区別することができる。さらに、休止期間Ｔｂにビットデータ「０」が連続する場合でも、同期信号Ｙ１による同期が容易になる。
【００９６】
次に、照明制御システム１の第２変形例について、図８、図９を用いて説明する。図８は、第２変形例の点灯装置４の構成を示す。第２変形例の点灯装置４は、ＡＣＡＣ変換部４２Ａ、ＡＤ変換部４４Ａ，４４Ｂを備える。
【００９７】
図９は、ＡＣＡＣ変換部４２Ａの回路構成を示しており、ＡＣＡＣ変換部４２Ａは、伝送信号Ｙ２を降圧して、正側の半波成分と負側の半波成分とに分離する。
【００９８】
具体的に、ＡＣＡＣ変換部４２Ａは、パルストランス４０１、抵抗４０２、ダイオード４０４，４０４Ａを備える。ダイオード４０４は、パルストランス４０１の二次巻線の一端に直列接続しており、ダイオード４０４は弱電信号を半波整流する。ダイオード４０４Ａは、パルストランス４０１の二次巻線の他端に直列接続しており、ダイオード４０４Ａは弱電信号を半波整流する。パルストランス４０１は、伝送信号Ｙ２を降圧する。そして、ダイオード４０４は、パルストランス４０１の二次側出力を半波整流することで正側の伝送信号Ｙ２１Ａを出力する。また、ダイオード４０４Ａは、パルストランス４０１の二次側出力を半波整流することで負側の伝送信号Ｙ２１Ｂを出力する。
【００９９】
そして、ＡＤ変換部４４Ａは、アナログの伝送信号Ｙ２１Ａをデジタルの伝送信号Ｙ２２Ａに変換する。ＡＤ変換部４４Ｂは、アナログの伝送信号Ｙ２１Ｂをデジタルの伝送信号Ｙ２２Ｂに変換する。
【０１００】
信号処理回路４６は、同期信号Ｙ１２及び伝送信号Ｙ２２Ａ，Ｙ２２Ｂを入力される。信号処理回路４６は、伝送信号Ｙ２２Ａ，Ｙ２２Ｂを上述の伝送信号Ｙ２２と同様に信号処理することで、同期信号Ｙ１２に同期して伝送信号Ｙ２２Ａ，Ｙ２２Ｂからビットデータを読み出す。そして、信号処理回路４６は、読み出したビットデータに基づいて、点灯回路４７の動作を制御する点灯制御処理を行う。
【０１０１】
次に、照明制御システム１の第３変形例について、図１０を用いて説明する。図１０は、第３変形例のコントローラ２と点灯装置４との接続形態を示す。第３変形例の点灯装置４は、接続部４８Ａと、分岐部４９とを備える。
【０１０２】
接続部４８Ａは、接続部４８から端子４８３，４８４を除いた構成であり、電線が接続される４個の端子４８１，４８２，４８５，４８６を備える。そして、分岐部４９は、端子４８１，４８２に電気的に接続しており、電力線Ｗ３から供給される交流電力を、点灯制御回路４０及び点灯回路４７へそれぞれ分岐して供給する。すなわち、分岐部４９は、電力系統９からの交流電力を点灯回路４７へ供給し、さらに交流電圧Ｖ１を同期信号Ｙ１ａとして点灯制御回路４０へ出力する。そして、点灯制御回路４０は、交流電圧Ｖ１を同期信号Ｙ１ａとし、ＡＣＡＣ変換部４１に入力する。
【０１０３】
したがって、第３変形例では、電力線Ｗ３が制御線Ｗ１の機能も兼ねており、制御線Ｗ１の敷設が不要になる。この結果、照明制御システム１の省配線化、低コスト化を図ることができる。
【０１０４】
次に、照明制御システム１の第４変形例について、図１１を用いて説明する。図１１は、第４変形例のコントローラ２と点灯装置４との接続形態を示す。第４変形例の点灯装置４は、接続部４８Ｂを備えており、第３変形例に比べてさらなる省配線化を図っている。
【０１０５】
接続部４８Ｂは、接続部４８Ａから端子４８６を除いた構成であり、電線が接続される３個の端子４８１，４８２，４８５を備える。この場合、端子４８１が第１端子に相当し、端子４８２が第２端子に相当し、端子４８４が第３端子に相当する。そして、電力系統９からの交流電力は、端子４８１，４８２を介して分岐部４９へ供給される。また、伝送信号Ｙ２は、端子４８２，４８５を介して点灯制御回路４０へ伝達される。すなわち、端子４８１，４８２に接続されている一対の電線が電力線Ｗ３を構成し、端子４８２，４８５に接続されている一対の電線が信号線Ｗ２を構成している。
【０１０６】
したがって、信号線Ｗ２及び電力線Ｗ３は、３本の電線で構成されており、照明制御システム１のさらなる省配線化、低コスト化を図ることができる。
【０１０７】
次に、照明制御システム１の第５変形例について、図１２Ａ−図１２Ｅを用いて説明する。
【０１０８】
第５変形例において、点灯装置４は、動作モードとして第１モード、第２モードを有しており、動作モードを第１モードまたは第２モードに設定して動作する。点灯装置４では、信号処理回路４６が動作モードを第１モードまたは第２モードに設定して、設定した動作モードに応じた処理を行う。
【０１０９】
コントローラ２は、第１モードの点灯装置４に対して、上述の実施形態、または第１変形例−第４変形例のいずれかのように、コマンドＢ０またはＢ１０を含む伝送信号Ｙ２を点灯装置４へ出力する。第１モードの点灯装置４は、コマンドＢ０またはＢ１０に含まれるパラメータビット群Ｂ３を参照して、ＬＥＤモジュール５の点灯状態（点灯、消灯、点滅、調光、調色など）を制御する。
【０１１０】
具体的に、第１モードで動作する点灯装置４では、信号処理回路４６が、スタートビット群Ｂ１、コマンドビット群Ｂ２に続いてパラメータビット群Ｂ３の各ビットを読み出し、アドレス情報、制御情報などを解析する。制御情報が調光レベルの情報である場合、例えば２５６段階の調光レベルから目標となる調光レベルが制御情報によって指示されている。制御情報が調色レベルの情報である場合、例えば２５６段階の調色レベルから目標となる調色レベルが制御情報によって指示されている。そして、信号処理回路４６は、パラメータビット群Ｂ３によって指示された点灯状態にＬＥＤモジュール５の点灯状態を制御する。すなわち、第１モードの点灯装置４では、信号処理回路４６が連続調光、連続調色などの点灯制御を行うことができる。
【０１１１】
次に、第２モードで動作する点灯装置４では、信号処理回路４６（点灯制御回路４０）が、伝送信号Ｙ２の非通電状態及び通電状態の有無、通電状態及び非通電状態の組み合わせ等の発生パターンを判定することで、ＬＥＤモジュール５の点灯状態を制御する。
【０１１２】
そして、ＡＣＡＣ変換部４１，４２が図５Ａの回路構成を備えている場合、同期信号Ｙ１及び伝送信号Ｙ２が全波整流されているので、信号処理回路４６は、伝送信号Ｙ２の正負を区別することができない。
【０１１３】
そこで、信号処理回路４６は、同期信号Ｙ１２及び伝送信号Ｙ２２に基づいて、伝送信号Ｙ２の半周期毎の波形を判別し、伝送信号Ｙ２の半周期分の波形に基づいてＬＥＤモジュール５を点灯制御する。例えば、信号処理回路４６は、半周期の通電状態に対応する調光レベルとして７０％を記憶し、半周期の非通電状態に対応する調光レベルとして５０％を記憶している。そして、第２モードの信号処理回路４６は、図１２Ａに示すように伝送信号Ｙ２の波形が通電状態である場合、ＬＥＤモジュール５の調光レベルを７０％に制御する。また、第２モードの信号処理回路４６は、図１２Ｂに示すように伝送信号Ｙ２の波形が非通電状態である場合、ＬＥＤモジュール５の調光レベルを５０％に制御する。
【０１１４】
また、信号処理回路４６は、伝送信号Ｙ２の１周期分の波形に基づいて、ＬＥＤモジュール５を点灯制御してもよい。例えば、信号処理回路４６は、図１２Ｃに示すように、半周期の通電状態と半周期の非通電状態との組み合わせ（発生パターン）に対応する調光レベルとして７０％、調色レベルとして色温度５０００Ｋを記憶している。そして、第２モードの信号処理回路４６は、伝送信号Ｙ２の１周期分の波形が通電状態と非通電状態との組み合わせである場合、ＬＥＤモジュール５の調光レベルを７０％に制御し、調色レベルを色温度５０００Ｋに制御する。
【０１１５】
また、信号処理回路４６は、伝送信号Ｙ２の３周期分の波形に基づいて、ＬＥＤモジュール５を点灯制御してもよい。例えば、信号処理回路４６は、図１２Ｄに示すように、２周期の通電状態と１周期の非通電状態との組み合わせ（発生パターン）に対応する調光レベルを記憶している。また、信号処理回路４６は、図１２Ｅに示すように、半周期の通電状態と、１周期の非通電状態と、１周期の通電状態と、半周期の非通電状態との組み合わせ（発生パターン）に対応する調光レベルを記憶している。
【０１１６】
また、ＡＣＡＣ変換部４１，４２の一方が図５Ａの回路構成を備えており、ＡＣＡＣ変換部４１，４２の他方が図５Ｃの回路構成を備えている場合、ＡＣＡＣ変換部４１，４２の他方が出力する信号は整流されていない。したがって、信号処理回路４６は、同期信号Ｙ１２、伝送信号Ｙ２２に基づいて、伝送信号Ｙ２が正電圧である正状態、伝送信号Ｙ２が負電圧である負状態、伝送信号Ｙ２が０Ｖである０状態の３つの状態を判別することができる。
【０１１７】
例えば、信号処理回路４６は、図１３Ａに示すように正状態と０状態とが交互に発生する伝送信号Ｙ２と、図１３Ｂに示すように負状態と０状態とが交互に発生する伝送信号Ｙ２とを区別することができる。
【０１１８】
また、信号処理回路４６は、図１３Ｃに示す発生パターンの伝送信号Ｙ２と、図１３Ｄに示す発生パターンの伝送信号Ｙ２とを区別することもできる。図１３Ｃの伝送信号Ｙ２では、正状態、０状態、正状態、負状態、０状態、０状態が順に生じている。図１３Ｄの伝送信号Ｙ２では、負状態、０状態、負状態、正状態、０状態、０状態が順に生じている。
【０１１９】
そして、コントローラ２は、第１モードの点灯装置４に対して設定信号を出力することによって、信号処理回路４６に対して各種設定を行う設定処理を行うことができる。設定信号は、コマンドＢ０またはＢ１０を含む伝送信号Ｙ２であり、点灯装置４に第２モードでの動作時の制御内容を設定することができる。設定信号では、コマンドビット群Ｂ２にパラメータ設定コマンドが設定される。さらに、パラメータビット群Ｂ３には、第２モードでの動作時に実行するＬＥＤモジュール５の点灯制御の目標状態と、この目標状態に対応する所定の発生パターン（通電状態及び非通電状態の組み合わせなど）が設定される。すなわち、信号制御回路２１は、設定信号によって、所定の発生パターンに対応する調光レベル、調色レベル、点灯、消灯、点滅などの制御内容（目標状態）を信号処理回路４６に通知する。第１モードの信号処理回路４６は、受け取った設定信号に基づいて、所定の発生パターンに対応する目標状態を記憶しておく。そして、信号処理回路４６は、動作モードが第１モードから第２モードに切り替わると、伝送信号Ｙ２における通電状態及び非通電状態の発生パターンに応じて、予め記憶している目標状態から対応する目標状態を選択する。そして、信号処理回路４６は、ＬＥＤモジュール５の点灯状態が選択した目標状態になるように、点灯回路４７を制御する。
【０１２０】
すなわち、コントローラ２は、第１モードの点灯装置４へ、第２モードでの動作時に実行するＬＥＤモジュール５の点灯制御の目標状態を示す設定信号を伝送信号Ｙ２として出力する。第１モードの点灯装置４は、設定信号に基づいて点灯制御の目標状態を記憶する。
【０１２１】
そして、コントローラ２は、第２モードの点灯装置４へ、通電状態及び非通電状態が所定の発生パターンで生じる伝送信号Ｙ２を出力する。第２モードの点灯装置４は、伝送信号Ｙ２における通電状態及び非通電状態の発生パターンに対応する目標状態となるように点灯制御を実行する。すなわち、第２モードの点灯装置４では、信号処理回路４６が、段調光、段調色などの点灯制御を行うことができる。
【０１２２】
したがって、第２モードの点灯制御回路４０は、受け取った伝送信号Ｙ２のビットデータを読み出して解析することなく、ＬＥＤモジュール５の点灯状態を制御することができる。この結果、点灯制御回路４０によるＬＥＤモジュール５の制御遅れが小さくなり、迅速な照明制御が可能になる。例えば、第２モードの点灯制御回路４０は、受け取った伝送信号Ｙ２のビットデータを読み出して解析する必要がなく、伝送信号Ｙ２の波形のみを判別すればよい。したがって、第２モードの点灯制御回路４０は、伝送信号Ｙ２を受け取ってから実際に調光レベルまたは調色レベルが変更されるまでの時間をより短くすることができる。
【０１２３】
なお、上述の第１モードを設定モードと呼び、上述の第２モードを通常モードと呼んでもよい。また、上述の第１モードを確実操作モードと呼び、上述の第２モードを簡易操作モードと呼んでもよい。すなわち、上述の第１モードでは、伝送信号Ｙ２のコマンドＢ０またはＢ１０（複数ビットで表される制御パラメータ）によって、連続調光、連続調色などの照明制御が行われる。また、上述の第２モードでは、伝送信号Ｙ２に制御パラメータを含めることなく、伝送信号Ｙ２における通電状態及び非通電状態の発生パターンに対応する目標状態になるように、段調光、段調色などの照明制御が行われる。
【０１２４】
次に、点灯装置４の動作モードの切り替えについて説明する。
【０１２５】
点灯装置４では、点灯装置４の起動時から所定時間が経過するまでは、信号処理回路４６（点灯制御回路４０）の動作モードを第１モードに設定する。点灯装置４の起動時から所定時間が経過すると、信号処理回路４６は、動作モードを第１モードから第２モードに切り替えて、以降、第２モードで動作する。
【０１２６】
あるいは、コントローラ２から点灯装置４へ伝送信号としてモード切替信号を送信し、点灯装置４の信号処理回路４６（点灯制御回路４０）は、受け取ったモード切替信号に応じて動作モードを切り替えてもよい。この場合、信号処理回路４６は、受け取った伝送信号がモード切替信号であるか否かを判定する判定処理を行う。
【０１２７】
次に、照明制御システム１の第６変形例について、図１４、図１５を用いて説明する。図１４は、第６変形例の点灯装置４の構成を示す。第６変形例の点灯装置４は、ＡＣＡＣ変換部４１，４２の代わりに、信号変換部４１Ｂ，４２Ｂを備えている。さらに、第６変形例の点灯装置４は、ＡＤ変換部４３，４４を備えていない。
【０１２８】
信号変換部４１Ｂ，４２Ｂは、同期信号Ｙ１及び伝送信号Ｙ２を、ＨレベルまたはＬレベルで表される同期信号Ｙ１１ａ及び伝送信号Ｙ２１ａに降圧する。この場合、同期信号Ｙ１及び伝送信号Ｙ２がアナログの強電信号に相当し、同期信号Ｙ１１ａ及び伝送信号Ｙ２１ａがデジタルの弱電信号に相当する。
【０１２９】
信号変換部４１Ｂ，４２Ｂは、同一の回路構成を備えている。そこで、信号変換部４１Ｂ，４２Ｂを区別しない場合、信号変換部４００Ｂと呼ぶ。図１５は、信号変換部４００Ｂの回路構成を示す。
【０１３０】
具体的に、信号変換部４００Ｂは、ダイオード４１１、抵抗４１２、フォトカプラ４１３、抵抗４１４を備える。ダイオード４１１、抵抗４１２、フォトカプラ４１３の入力ダイオードは直列接続されており、この直列回路には同期信号Ｙ１または伝送信号Ｙ２が強電信号として入力される。ダイオード４１１は強電信号を半波整流し、抵抗４１２は限流抵抗であり、半波整流された強電信号による電流がフォトカプラ４１３の入力ダイオードに流れる。フォトカプラ４１３の出力トランジスタは、フォトカプラ４１３の入力ダイオードに所定電流が流れればオンする。そして、抵抗４１４とフォトカプラ４１３の出力トランジスタとの直列回路の両端には、制御電圧Ｖｃ２が印加されており、フォトカプラ４１３の出力トランジスタの両端電圧が、同期信号Ｙ１１ａまたは伝送信号Ｙ２１ａとして出力される。したがって、フォトカプラ４１３の出力トランジスタがオンしている期間では、同期信号Ｙ１１ａまたは伝送信号Ｙ２１ａがＬレベル（約０Ｖ）となる。また、フォトカプラ４１３の出力トランジスタがオフしている期間では、同期信号Ｙ１１ａまたは伝送信号Ｙ２１ａがＨレベル（制御電圧Ｖｃ２）となる。すなわち、同期信号Ｙ１１ａ及び伝送信号Ｙ２１ａは、デジタル信号になる。
【０１３１】
信号処理回路４６は、デジタル信号である同期信号Ｙ１１ａ及び伝送信号Ｙ２１ａが入力され、同期信号Ｙ１１ａに同期して伝送信号Ｙ２１ａからビットデータを読み出す。そして、信号処理回路４６は、読み出したビットデータに基づいて、点灯回路４７の動作を制御する点灯制御処理を行う。
【０１３２】
上述のように、第６変形例では、ＡＤ変換部４３，４４が不要となり、点灯装置４の構成の簡略化を図ることができる。
【０１３３】
また、ゼロクロス検出回路２７は、図１５に示す回路で構成されることによって、交流電圧Ｖ２の半周期毎にＨレベルとＬレベルとが交互に切り換わるタイミング信号Ｙａを生成することができる。
【０１３４】
なお、上述の実施形態、及び第１変形例−第６変形例において、同期信号は、交流電圧Ｖ０と同位相の交流電圧信号であればよく、交流電圧Ｖ０，Ｖ１，Ｖ２のいずれを同期信号として用いてもよい。また、交流電圧Ｖ１，Ｖ２は、電力系統９の交流電圧Ｖ０をトランス９１，９２でそれぞれ降圧した交流電圧であり、交流電圧Ｖ０，Ｖ１，Ｖ２はいずれも、電力系統９から供給される交流電圧であるといえる。
【０１３５】
また、光源は、ＬＥＤモジュール５に限らず、有機ＥＬ（Organic Electro Luminescence、OEL）、または半導体レーザ（Laser Diode、LD）などの他の固体発光素子を有していてもよい。さらに、光源は、固体発光素子に限らず、放電灯、または蛍光灯などであってもよい。
【０１３６】
以上のように、実施形態に係る第１の態様の照明制御システム１は、電力系統９から受けた交流電力から外部のＬＥＤモジュール５（光源）へ供給する電力を生成する点灯装置４と、点灯装置４を制御するための伝送信号Ｙ２を信号線Ｗ２を介して点灯装置４に対して出力するコントローラ２と、を備える。コントローラ２は、電力系統９から供給される交流電圧Ｖ２を信号線Ｗ２に通電する期間を制御することで伝送信号Ｙ２を生成する。そして、コントローラ２は、交流電圧Ｖ２を信号線Ｗ２に通電させている通電期間、及び交流電圧Ｖ２を信号線Ｗ２に通電させていない非通電期間の少なくとも一方を、交流電圧Ｖ２の位相に同期させて制御することで、時系列に並んだビットデータを含む伝送信号Ｙ２を生成し、点灯装置４に対して伝送信号Ｙ２を出力する。点灯装置４は、コントローラ２から出力された伝送信号Ｙ２を受け取り、電力系統９から供給される交流電圧Ｖ２の位相に同期して伝送信号Ｙ２のレベルを判定することで、伝送信号Ｙ２からビットデータをそれぞれ読み出す。
【０１３７】
上述の照明制御システム１は、コントローラ２−点灯装置４間の通信に強電信号である同期信号Ｙ１及び伝送信号Ｙ２を用いている。この結果、同期信号Ｙ１及び伝送信号Ｙ２という２系統の通信路を備えるだけで、コントローラ２から点灯装置４へ伝達される情報量を従来に比べて増やすことができる。すなわち、照明制御システム１は、コントローラ２から点灯装置４に伝達する情報量を簡易な構成で増やすことができる。また、照明制御システム１は、同期信号Ｙ１を用いることによって、コントローラ２−点灯装置４間の通信の安定性を向上させることができる。
【０１３８】
さらに、照明制御システム１において、同期信号Ｙ１及び伝送信号Ｙ２は強電信号であるので、制御線Ｗ１、信号線Ｗ２、電力線Ｗ３は、強電信号用の１つの電線管に収納されて点灯装置４まで敷設されている。したがって、照明制御システム１は、弱電信号用の電線管を別に敷設する必要がないので、強電信号用の電線管と弱電信号用の電線管との両方を敷設する場合に比べて、施工コストを低くできる。
【０１３９】
また、同期信号Ｙ１及び伝送信号Ｙ２は強電信号であるので、コントローラ２−点灯装置４間の距離が長く、制御線Ｗ１及び信号線Ｗ２の各配線長が長い場合でも、同期信号Ｙ１及び伝送信号Ｙ２の電圧降下による制御不良を抑制できる。
【０１４０】
また、実施形態に係る第２の態様の照明制御システム１では、第１の態様において、コントローラ２は、交流電圧Ｖ２の各周期にビットデータをそれぞれ対応付けて、交流電圧Ｖ２の各周期を第１期間Ｔ１と第２期間Ｔ２とに分割する。そして、コントローラ２は、第１期間Ｔ１を通電期間にし、当該周期に対応するビットデータに応じて第２期間Ｔ２を通電期間または非通電期間にすることが好ましい。
【０１４１】
上述の照明制御システム１では、点灯装置４が、伝送信号Ｙ２からビットデータをそれぞれ読み出す場合に同期をよりとりやすくなり、通信の安定性をさらに向上させることができる。例えば、伝送信号Ｙ２において非通電状態が継続する場合でも、点灯装置４は、同期を容易にとることができる。また、点灯装置４は、伝送信号Ｙ２の１周期に亘って通電状態となった場合に交流電圧Ｖ２の周波数を判別することができ、ノイズなどの要因によって同期がとれない場合にビットデータの読出しが失敗したか否かを判断できる。
【０１４２】
また、実施形態に係る第３の態様の照明制御システム１では、第２の態様において、第１期間Ｔ１は、交流電圧Ｖ２の位相０°−１８０°の期間であることが好ましい。また、第２期間Ｔ２は、交流電圧Ｖ２の位相１８０°−３６０°の期間であることが好ましい。そして、コントローラ２は、ビットデータが第１値（例えば「１」）を表す場合、第２期間Ｔ２を通電期間にし、ビットデータが第２値（例えば「０」）を表す場合、第２期間Ｔ２を非通電期間にする。
上述の照明制御システム１では、コントローラ２は、伝送信号Ｙ２の出力時に、交流電圧Ｖ２に対してゼロクロススイッチングを行うので、スイッチング時に発生するノイズを抑えることができる。また、第１期間Ｔ１において交流電圧Ｖ２の周波数を判別することができ、ノイズなどの要因によって同期がとれない場合にビットデータの読出しが失敗したか否かを判断できる。
【０１４３】
また、実施形態に係る第４の態様の照明制御システム１では、第１乃至第３の態様のいずれか一つにおいて、コントローラ２は、点灯装置４の動作を指示する指示信号を外部から入力され、指示信号によって指示される動作に対応する複数のビットデータを生成することが好ましい。
【０１４４】
上述の照明制御システム１では、コントローラ２とは別体の照明コントローラからの指示によって照明制御を行うことができる。
【０１４５】
また、実施形態に係る第５の態様の照明制御システム１では、第１乃至第３の態様のいずれか一つにおいて、点灯装置４は、動作モードを第１モード及び第２モードのいずれかに切り替えることができることが好ましい。コントローラ２は、第１モードの点灯装置４へ、第２モードでの動作時に実行するＬＥＤモジュール５の点灯制御の目標状態を示す設定信号を伝送信号Ｙ２として出力する。第１モードの点灯装置４は、設定信号に基づいて点灯制御の目標状態を記憶する。コントローラ２は、第２モードの点灯装置４へ、点灯制御を行わせるための伝送信号Ｙ２を出力する。第２モードの点灯装置４は、点灯制御を行わせるための伝送信号Ｙ２をコントローラ２から受け取った場合、目標状態となるように点灯制御を実行する。
【０１４６】
上述の照明制御システム１では、第１モード時において、連続調光及び連続調色を行うことができる。したがって、照明制御システム１は、第１モード時において、きめ細かい照明制御を行うことができる。また、照明制御システム１は、第２モード時において、点灯、消灯、段調光、段調色などの照明制御を短時間で行うことができる。
【０１４７】
また、実施形態に係る第６の態様の照明制御システム１では、第１乃至第３の態様のいずれか一つにおいて、点灯装置４を複数備えている。そして、複数の点灯装置４は、複数の点灯装置４を識別するための識別情報（アドレス情報）をそれぞれ付与されていることが好ましい。コントローラ２は、識別情報を含む伝送信号Ｙ２を出力する。複数の点灯装置４は、伝送信号Ｙ２に含まれる識別情報が自己の識別情報と一致すれば、当該伝送信号Ｙ２から読み出した複数のビットデータに基づいてそれぞれ動作する。
【０１４８】
上述の照明制御システム１では、識別情報に基づいて、複数の点灯装置４を個別に制御できる。
【０１４９】
また、実施形態に係る第７の態様の照明制御システム１は、電力系統９から受けた交流電力から外部のＬＥＤモジュール５（光源）へ供給する電力を生成する点灯装置４と、点灯装置４を制御するための伝送信号Ｙ２を信号線Ｗ２を介して点灯装置４に対して出力するコントローラ２と、を備える。コントローラ２は、電力系統９から供給される交流電圧Ｖ２を信号線Ｗ２に通電する期間を制御することで伝送信号Ｙ２を生成する。そして、コントローラ２は、交流電圧Ｖ２を信号線Ｗ２に通電させている通電期間、及び交流電圧Ｖ２を信号線Ｗ２に通電させていない非通電期間の少なくとも一方を、交流電圧Ｖ２の位相に同期させて制御することで、時系列に並んだビットデータを含む伝送信号Ｙ２を生成して、点灯装置４に対して伝送信号Ｙ２を出力する。点灯装置４は、点灯回路４７と、点灯制御回路４０と、分岐部４９と、を有する。点灯回路４７は、電力系統９から交流電力を入力されてＬＥＤモジュール５へ電力を供給する。点灯制御回路４０は、コントローラ２から出力された伝送信号Ｙ２を受け取り、電力系統９から供給される交流電圧Ｖ２の位相に同期して伝送信号Ｙ２のレベルを判定することで、伝送信号Ｙ２からビットデータをそれぞれ読み出して、点灯回路４７を制御する。分岐部４９は、点灯回路４７へ交流電力を供給し、点灯制御回路４０へ交流電圧Ｖ２を出力する。
【０１５０】
上述の照明制御システム１は、コントローラ２から点灯装置４に伝達する情報量を簡易な構成で増やすことができる。また、照明制御システム１は、同期信号Ｙ１を用いることによって、コントローラ２−点灯装置４間の通信の安定性を向上させることができる。
【０１５１】
また、上述の照明制御システム１では、制御線Ｗ１の敷設が不要になるので、照明制御システム１の省配線化、低コスト化を図ることができる。
【０１５２】
また、実施形態に係る第８の態様の照明制御システム１では、第７の態様において、点灯装置４は、電力系統９から交流電力を入力され、コントローラ２から伝送信号Ｙ２を入力される接続部４８Ｂを備えることが好ましい。接続部４８Ｂは、第１端子４８１、第２端子４８２、第３端子４８３を有する。第１端子４８１及び第２端子４８２に交流電力が入力され、第２端子４８２及び第３端子４８３に伝送信号Ｙ２が入力される。そして、第１端子４８１及び第２端子４８２から点灯回路４７へ交流電力を供給し、第２端子４８２及び第３端子４８３から点灯制御回路４０へ伝送信号Ｙ２を出力する。
【０１５３】
上述の照明制御システム１では、信号線Ｗ２及び電力線Ｗ３が、３本の電線で構成されており、照明制御システム１のさらなる省配線化、低コスト化を図ることができる。
【０１５４】
また、実施形態に係る第９の態様のコントローラ２は、信号出力回路２２と、信号制御回路２１と、を備える。信号出力回路２２は、電力系統９から供給される交流電圧Ｖ２を信号線Ｗ２に通電させている通電状態と、交流電圧Ｖ２を信号線Ｗ２に通電させていない非通電状態とを切り替えることで、点灯装置４を制御するための伝送信号Ｙ２を信号線Ｗ２を介して出力する。信号制御回路２１は、信号出力回路２２を制御する。そして、信号制御回路２１は、通電状態である通電期間、及び非通電状態である非通電期間の少なくとも一方を、交流電圧Ｖ２の位相に同期して制御することで、時系列に並んだビットデータを含む伝送信号Ｙ２を生成する。
【０１５５】
上述のコントローラ２は、点灯装置４へ伝達する情報量を簡易な構成で増やすことができる。
【０１５６】
また、実施形態に係る第１０の態様のコントローラ２では、第９の態様において、信号制御回路２１は、交流電圧Ｖ２の各周期に複数のビットデータをそれぞれ対応付けて伝送信号Ｙ２を生成する。そして、信号制御回路２１は、交流電圧Ｖ２の各周期を第１期間Ｔ１と第２期間Ｔ２とに分割し、第１期間Ｔ１を通電期間にし、当該周期に対応するビットデータに応じて第２期間Ｔ２を通電期間または非通電期間にすることが好ましい。
【０１５７】
上述のコントローラ２では、点灯装置４が、伝送信号Ｙ２から複数のビットデータをそれぞれ読み出す場合に同期をよりとりやすくなり、通信の安定性をさらに向上させることができる。
【０１５８】
また、実施形態に係る第１１の態様のコントローラ２では、第１０の態様において、第１期間Ｔ１は、交流電圧Ｖ２の位相０°−１８０°の期間であることが好ましい。また、第２期間Ｔ２は、交流電圧Ｖ２の位相１８０°−３６０°の期間であることが好ましい。そして、信号制御回路２１は、ビットデータが第１値（例えば「１」）を表す場合、第２期間Ｔ２を通電期間にし、ビットデータが第２値（例えば「０」）を表す場合、第２期間Ｔ２を非通電期間にする。
【０１５９】
上述のコントローラ２は、伝送信号Ｙ２の生成時に、交流電圧Ｖ２に対してゼロクロススイッチングを行うので、スイッチング時に発生するノイズを抑えることができる。また、第１期間Ｔ１において交流電圧Ｖ２の周波数を判別することができ、ノイズなどの要因によって同期がとれない場合にビットデータの読出しが失敗したか否かを判断できる。
【０１６０】
また、実施形態に係る第１２の態様のコントローラ２では、第９乃至第１１の態様のいずれか一つにおいて、点灯装置４に入力される同期信号Ｙ１として交流電圧Ｖ２を出力する同期信号出力部２５を備えることが好ましい。
【０１６１】
上述のコントローラ２は、同期信号Ｙ１及び伝送信号Ｙ２の両方を出力できるので、コントローラ２を備えた照明制御システム１の構成の簡略化を図ることができる。
【０１６２】
また、実施形態に係る第１３の態様の点灯装置４は、電力系統９の交流電力を入力されてＬＥＤモジュール５へ電力を供給する点灯回路４７と、点灯回路４７を制御する点灯制御回路４０と、を備える。点灯制御回路４０は、電力系統９から供給される交流電圧Ｖ２の通電状態が切り替えられて時系列に並んだ複数のビットデータを含む伝送信号Ｙ２を信号線Ｗ２を介して受け取る。そして、点灯制御回路４０は、交流電圧Ｖ２の位相に同期して伝送信号Ｙ２のレベルを判定することで、伝送信号Ｙ２からビットデータをそれぞれ読み出す。
【０１６３】
上述の点灯装置４は、コントローラ２から伝達される情報量を簡易な構成で増やすことができる。また、点灯装置４は、同期信号Ｙ１を用いることによって、コントローラ２との間の通信の安定性を向上させることができる。
【０１６４】
また、実施形態に係る第１４の態様の点灯装置４では、第１３の態様において、点灯制御回路４０は、交流電圧Ｖ２のゼロクロスタイミングから、交流電圧Ｖ２の瞬時値が交流電圧Ｖ２のピーク値に達するまでの時間が経過する前に、伝送信号Ｙ２のレベルを判定することが好ましい。
【０１６５】
上述の点灯装置４は、伝送信号Ｙ２のレベルをより確実に判定することができる。
【０１６６】
また、実施形態に係る第１５の態様の照明器具３は、第１３または第１４の態様の点灯装置４と、点灯装置４から電力を供給されるＬＥＤモジュール５と、を備える。
【０１６７】
上述の照明器具３は、コントローラ２から伝達される情報量を簡易な構成で増やすことができる。また、照明器具３は、同期信号Ｙ１を用いることによって、コントローラ２との間の通信の安定性を向上させることができる。
【０１６８】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１６９】
１  照明制御システム
２  コントローラ
２１  信号制御回路
２２  信号出力回路
２５  同期信号出力部
３  照明器具
４  点灯装置
４０  点灯制御回路
４７  点灯回路
４８Ｂ  接続部
４９  分岐部
４８１  端子（第１端子）
４８２  端子（第２端子）
４８３  端子（第３端子）
５  ＬＥＤモジュール（光源）
９  電力系統
Ｗ２  信号線
Ｖ０  交流電圧
Ｖ１  交流電圧
Ｖ２  交流電圧
Ｙ１  同期信号
Ｙ２  伝送信号
Ｔ１  第１期間
Ｔ２  第２期間
【図１】
2019036447.tif 000003
【図２】
2019036447.tif 000004
【図３】
2019036447.tif 000005
【図４】
2019036447.tif 000006
【図５】
2019036447.tif 000007
【図６】
2019036447.tif 000008
【図７】
2019036447.tif 000009
【図８】
2019036447.tif 000010
【図９】
2019036447.tif 000011
【図１０】
2019036447.tif 000012
【図１１】
2019036447.tif 000013
【図１２】
2019036447.tif 000014
【図１３】
2019036447.tif 000015
【図１４】
2019036447.tif 000016
【図１５】
2019036447.tif 000017